(57)【要約】【課題】  音声認識機能を搭載した場合でも、関連情報検索機能を利用する際の操作を容易化することができると共に、この関連情報検索機能のプログラムを小容量化することができる関連情報検索装置を提供する。【解決手段】  複数のキーワード、及び当該キーワードに対応付けられた関連情報を記憶する記憶部１８と、音声入力部１２又は主操作部８のいずれかによりキーワードの入力を受付けるよう指示する入力指示操作部１４と、入力指示操作部に対して第１の操作がなされた場合には、主操作部から入力されたキーワードに基づいて当該キーワードに対応付けられた関連情報を記憶部から検索し、第２の操作がなされた場合には、音声入力部から入力されたキーワードに基づいて当該キーワードに対応付けられた関連情報を記憶部から検索する制御部２０とを備えるようにした。【選択図】      図２
2006331302.tif 000002
【特許請求の範囲】
【請求項１】
文字、又は文字及び画像を表示する表示部と、
音声入力部と、
複数のキーワード、及び当該キーワードに対応付けられた関連情報を記憶する記憶部と、
文字を入力することができる主操作部と、
前記音声入力部又は前記主操作部のいずれかにより前記キーワードの入力を受付けるよう指示する入力指示操作部と、
前記入力指示操作部に対して第１の操作がなされた場合には、前記キーワードの入力を前記主操作部により受付ける旨を前記表示部に表示させ、前記主操作部から入力されたキーワードに基づいて当該キーワードに対応付けられた前記関連情報を前記記憶部から検索し、
前記入力指示操作部に対して第２の操作がなされた場合には、前記キーワードの入力を前記音声入力部により受付ける旨を前記表示部に表示させ、前記音声入力部から入力されたキーワードに基づいて当該キーワードに対応付けられた前記関連情報を前記記憶部から検索する制御部と
を備えることを特徴とする関連情報検索装置。
【請求項２】
音声出力部を備え、
前記制御部は、前記音声入力部から前記キーワードが入力された場合には前記検索した関連情報を前記音声出力部から出力し、前記主操作部から前記キーワードが入力された場合には前記検索した関連情報を前記表示部から出力するよう制御することを特徴とする請求項１に記載の関連情報検索装置。
【請求項３】
音声出力部を備え、
前記制御部は、前記音声入力部から前記キーワードが入力された場合には前記検索した関連情報を前記音声出力部及び前記表示部のそれぞれから出力し、前記主操作部から前記キーワードが入力された場合には前記検索した関連情報を前記表示部から出力するよう制御することを特徴とする請求項１に記載の関連情報検索装置。
【請求項４】
前記制御部は、入力された前記キーワードに対応する前記関連情報を検出しなかった場合には、前記音声入力部又は前記主操作部のいずれかによる前回と同じ入力方法にてキーワードの再入力を受付ける旨を前記表示部に表示させるよう制御することを特徴とする請求項１ないし３のいずれか一に記載の関連情報検索装置。
【請求項５】
前記入力指示操作部が単一のキーで構成され、
前記制御部は、前記入力指示操作部を一定時間未満の間だけ押下した場合、及び一定時間以上の間押下した場合のそれぞれの操作を、前記第１及び第２の操作として、又は前記第２及び第１の操作として認識し判別することを特徴とする請求項１ないし４のいずれか一に記載の関連情報検索装置。
【発明の詳細な説明】
【技術分野】
【０００１】
本発明は、操作部やマイクロホンから入力されたキーワードに対応する関連情報を検索して、表示部に表示したり又はスピーカーから音声出力したりする関連情報検索機能を備える関連情報検索装置に関するものである。
【背景技術】
【０００２】
従来において、関連情報検索機能を備える携帯電話機があった。この関連情報検索機能は、操作部からキーワードを入力すると、このキーワードに対応するガイダンス等の関連情報を検索して表示部等に出力するようになっている機能である。
【０００３】
この関連情報検索機能は、例えば操作方法が分からなくなったような場合に、この操作方法に関するキーワードを入力すると、操作方法の説明を表示部に表示させることができる。また、キーワードの入力は、文字入力可能な操作部のテンキーから一文字ずつ打込んで行なうことができる。
【０００４】
ここで、上記のような関連情報検索機能を備える携帯電話機、並びにこの携帯電話機と同様の関連情報検索機能を備えるＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、パーソナルコンピュータ、及びナビゲーションシステム等の電子機器を、関連情報検索装置と総称することとする。
【０００５】
一方、携帯電話機や自動車電話機等を含む電話機の中には、音声認識機能を備えるものがあった（例えば、特許文献１参照）。この音声認識機能を備える電話機は、記憶部に通信相手の名義名の音声パターンと、この名義名に対応するダイヤル番号を記憶しており、ユーザーにより通信相手の名義名が音声入力されると、そのダイヤル番号に自動的に発呼動作を行なうようになっていた。
【０００６】
このような音声認識機能は、上述した従来の関連情報検索装置にも搭載することができる。そして、このような音声認識機能を備えるようにした関連情報検索装置では、関連情報検索機能におけるキーワードの入力の際に音声認識機能を利用することができる。
【特許文献１】特開２０００−６９１４６号公報
【発明の開示】
【発明が解決しようとする課題】
【０００７】
しかしながら、前記従来の関連情報検索装置に音声認識機能を搭載した場合には、関連情報検索機能を利用する際に、キーワードを操作部から打込んで入力するか、又は音声認識機能を利用してマイクロホン（音声入力部）から音声入力するかについて、いずれかを選択する操作を行なう必要があるため、関連情報検索機能を利用するための操作が複雑化し、却って関連情報検索機能の利用自体が敬遠されて有効利用されなくなるおそれがあるという問題があった。
【０００８】
また、関連情報検索機能の処理動作は、キーワードが操作部から入力される場合と、音声認識機能を利用してマイクロホンから音声入力される場合とで異なるため、関連情報検索機能のプログラムが音声認識機能に対応するために大容量化して記憶部の記憶容量を圧迫してしまうという問題があった。
【０００９】
そこで本発明は、上記問題点に鑑みて、音声認識機能を搭載した場合でも、関連情報検索機能を利用する際の操作を容易化することができると共に、この関連情報検索機能のプログラムの大容量化を防止することができる関連情報検索装置を提供することを課題とするものである。
【課題を解決するための手段】
【００１０】
上記課題を解決するために、本発明の関連情報検索装置は、
文字、又は文字及び画像を表示する表示部と、
音声入力部と、
複数のキーワード、及び当該キーワードに対応付けられた関連情報を記憶する記憶部と、
文字を入力することができる主操作部と、
前記音声入力部又は前記主操作部のいずれかにより前記キーワードの入力を受付けるよう指示する入力指示操作部と、
前記入力指示操作部に対して第１の操作がなされた場合には、前記キーワードの入力を前記主操作部により受付ける旨を前記表示部に表示させ、前記主操作部から入力されたキーワードに基づいて当該キーワードに対応付けられた前記関連情報を前記記憶部から検索し、
前記入力指示操作部に対して第２の操作がなされた場合には、前記キーワードの入力を前記音声入力部により受付ける旨を前記表示部に表示させ、前記音声入力部から入力されたキーワードに基づいて当該キーワードに対応付けられた前記関連情報を前記記憶部から検索する制御部とを備えることを特徴とするものである。
【００１１】
また、本発明による関連情報検索装置は、
音声出力部を備え、
前記制御部は、前記音声入力部から前記キーワードが入力された場合には前記検索した関連情報を前記音声出力部から出力し、前記主操作部から前記キーワードが入力された場合には前記検索した関連情報を前記表示部から出力するよう制御することを特徴とするものである。
【００１２】
また、本発明による関連情報検索装置は、
音声出力部を備え、
前記制御部は、前記音声入力部から前記キーワードが入力された場合には前記検索した関連情報を前記音声出力部及び前記表示部のそれぞれから出力し、前記主操作部から前記キーワードが入力された場合には前記検索した関連情報を前記表示部から出力するよう制御することを特徴とするものである。
【００１３】
また、本発明による関連情報検索装置は、前記制御部は、入力された前記キーワードに対応する前記関連情報を検出しなかった場合には、前記音声入力部又は前記主操作部のいずれかによる前回と同じ入力方法にてキーワードの再入力を受付ける旨を前記表示部に表示させるよう制御することを特徴とするものである。
【００１４】
また、本発明による関連情報検索装置は、
前記入力指示操作部が単一のキーで構成され、
前記制御部は、前記入力指示操作部を一定時間未満の間だけ押下した場合、及び一定時間以上の間押下した場合のそれぞれの操作を、前記第１及び第２の操作として、又は前記第２及び第１の操作として認識し判別することを特徴とするものである。
【発明の効果】
【００１５】
このような本発明の関連情報検索装置によれば、音声認識機能を搭載した場合でも、関連情報検索機能を利用する際の操作を容易化することができると共に、この関連情報検索機能のプログラムの大容量化を防止することができる。
【発明を実施するための最良の形態】
【００１６】
以下、本発明に係る関連情報検索装置の実施の形態について、図面に基づいて具体的に説明する。
図１ないし図４は、本発明の一実施の形態に係る携帯電話機２（関連情報検索装置に相当）について説明するために参照する図である。
【００１７】
図１に示すように、本実施の形態に係る携帯電話機２は、その筐体４にＬＣＤ（液晶ディスプレイ）等の表示部６、操作部８、スピーカー１０（音声出力部に相当）、及びマイクロホン１２（音声入力部に相当）を備えている。表示部６には、文字及び図形等の画像を表示することができる。
【００１８】
操作部８は、テンキー８ａ、フックオフキー８ｂ、フックオンキー８ｃ、円環形状の上下左右方向キー８ｄ、及びこの上下左右方向キー８ｄの円環形状の内側に配置される決定キー８ｅを有している。この操作部８は、後述のヘルプキー１４と区別するために主操作部ということがあるものとする。
【００１９】
操作部８のテンキー８ａからは、数字以外の文字を入力することができるようになっている。また、図示しないが、表示部６にメニュー等が表示されているときには、この不図示のメニュー内の項目を指すカーソル等を上下左右方向キー８ｄの操作で上下左右方向に移動させて選択し、決定キー８ｅの操作により、このような選択した項目を指定することができるようになっている。
【００２０】
また、携帯電話機２はその筐体４の側面に、操作部８のテンキー８ａと同様に、配置される面に対して垂直方向に押下して操作するようになっている単一のヘルプキー１４（入力指示操作部に相当）を備えている。後述するように、ユーザーは、このヘルプキー１４を押下することにより、携帯電話機２に対して関連情報検索機能のキーワードの入力を受付けるよう指示することができる。
【００２１】
また、このヘルプキー１４による、関連情報検索機能のキーワードの入力を受付けるよう指示する操作は、後述するように、この関連情報検索機能のキーワードの入力を、操作部８から行なうか、又は音声認識機能を利用してマイクロホン１２から行なうかどうかを選択する操作を兼ねている。
【００２２】
図２は、携帯電話機２の回路構成を示すブロック図である。同図に示すように、携帯電話機２は、既に説明した表示部６、操作部８、スピーカー１０、マイクロホン１２及びヘルプキー１４以外に、通信部１６、記憶部１８、及び制御部２０を備えている。制御部２０は、表示部６、操作部８、スピーカー１０、マイクロホン１２、通信部１６、及び記憶部１８のそれぞれを制御するものである。
【００２３】
また、記憶部１８には、関連情報テーブル１８ａ、検索エンジンモジュール１８ｂ（関連情報検索機能のプログラムに相当）、音声認識モジュール１８ｃ（音声認識機能のプログラムに相当）、及び音声読上げモジュール１８ｄが記憶されている。
【００２４】
この記憶部１８内の関連情報テーブル１８ａには、図３に示すように、複数のキーワードと、この複数のキーワードのそれぞれに対応付けられた、機能名称及びガイダンスが登録されている。この機能名称及びガイダンスが、それぞれのキーワードに対応付けられた関連情報である。
【００２５】
次に、図４のフローチャートに基づいて、関連情報検索機能が利用されるときの制御部２０の処理動作について説明する。この関連情報検索機能の処理動作には、記憶部１８内の検索エンジンモジュール１８ｂ、音声認識モジュール１８ｃ、及び音声読上げモジュール１８ｄが用いられる。
【００２６】
通話や電子メールの受信を待受けている状態のときに（ステップＳ１）、ユーザーによりヘルプキー１４が押下されると（ステップＳ２）、制御部２０は関連情報検索機能を起動する。
【００２７】
そして、制御部２０は、このステップＳ２のヘルプキー１４の押下の操作が、押下した状態を一定時間（例えば２秒）以上維持するように行なわれたかどうか、すなわち長押しであったかどうかを判断する（ステップＳ３）。
【００２８】
このステップＳ３において、ヘルプキー１４を押下した状態が、一定時間未満だけしか維持されていなかったと判断した場合には（ステップＳ３のＮＯ）、制御部２０は、キーワードの入力を操作部８から受付けるようにするため、「キーワードの入力を操作部により受付ける」旨の表示を表示部６に表示させてる（ステップＳ４）。
【００２９】
ステップＳ４の処理動作後において、操作部８のテンキーを押下する操作が行なわれると、制御部２０は、この操作をキーワードの文字の入力として認識する（ステップＳ５）。そして、操作部８の決定キー８ｅが押下されると、制御部２０は、キーワードの入力が終了したものと判断して、ステップＳ１１に移行する。
【００３０】
また、ステップＳ３において制御部２０は、ヘルプキー１４を押下した状態が、一定時間以上維持されていたと判断した場合には（ステップＳ３のＹＥＳ）、関連情報検索機能のキーワードの入力を、音声認識機能を利用して行なうようにするため、「キーワードの入力をマイクロホンにより受付ける」旨を表示部６に表示させる（ステップＳ６）。また、制御部２０は、「キーワードの入力をマイクロホンにより受付ける」旨の音声ガイダンスをスピーカー１０から出力させる（ステップＳ７）。
【００３１】
ステップＳ７の処理動作後において、マイクロホン１２から音声入力が行なわれると、制御部２０は、この音声入力をキーワードの入力として認識する（ステップＳ８）。このステップＳ８で入力された音声が例えば不明瞭であったために音声認識することができなかった場合には（ステップＳ９のＮＯ）、制御部２０は、音声認識することができるまでステップＳ７及びステップＳ８の処理動作を繰返し行なう。
【００３２】
ステップＳ８で入力された音声について音声認識することができた場合には（ステップＳ９のＹＥＳ）、制御部２０は、「音声認識することができた」旨と、音声認識したキーワードのそれぞれを表示部６に表示させ（ステップＳ１０）、ステップＳ１１に移行する。
【００３３】
ステップＳ１１において制御部２０は、ステップＳ５又はステップＳ８のいずれかで入力されたキーワードに基づいて、このキーワードに対応付けられた関連情報を、図３に示す記憶部１８の関連情報テーブル１８ａから検索する。
【００３４】
すなわち、制御部２０は、記憶部１８の関連情報テーブル１８ａ中から、ステップＳ５又はステップＳ８のいずれかで入力されたキーワードと一致する、関連情報テーブル１８ａ内のキーワードを検索し、一致するキーワードを検出した場合には、このキーワードに対応する機能名称及びガイダンスを抽出する。
【００３５】
例えば、図４中のステップＳ５又はステップＳ８のいずれかにおいて、キーワードとして「音」と入力された場合には、制御部２０は、この「音」というキーワードについて図３に示す関連情報テーブル１８ａ内を検索する。
【００３６】
そして、この「音」というキーワードに対応する機能名称及びガイダンスの組合せとして、「音量」及び「電話着信時やメールを受信した時などの着信メロディの音量を調節できます。」の組合せ、「呼出し音選択」及び「電話着信時やメールを受信した時などの着信メロディの種類を変更できます。」の組合せ、並びに「撮影確認音」及び「写真撮影時のシャッター音を変更します。」の組合せを抽出する。
【００３７】
ここで、制御部２０は、この図４中のステップＳ１１において記憶部１８の関連情報テーブル１８ａ内に、ステップＳ５又はステップＳ８のいずれかで入力されたキーワードと一致するキーワードを検出しなかった場合には（ステップＳ１２のＮＯ）、このキーワードが操作部８から入力されたものであるか、又は音声認識機能を利用してマイクロホン１２から入力されたものであるかを判別し（ステップＳ１３）、同じ方法によるキーワードの入力をユーザーに再度行なわせるために、処理動作の手順をステップＳ５の直前、又はステップＳ７の直前に戻すようになっている。
【００３８】
すなわち、以前のキーワードの入力が、操作部８から行なわれていた場合には（ステップＳ１３のＮＯ）、制御部２０は、キーワードを操作部８から再度入力することができる旨のメッセージを表示部６に表示し（ステップＳ１４）、処理動作の手順をステップＳ５の直前に戻す。
【００３９】
また、以前のキーワードの入力が、音声認識機能を利用してマイクロホン１２から行なわれていた場合には（ステップＳ１３のＹＥＳ）、制御部２０は、キーワードを音声認識機能を利用して再度入力することができる旨のメッセージを表示し（ステップＳ１５）、処理動作の手順をステップＳ７の直前に戻す。
【００４０】
また、制御部２０は、ステップＳ１１の処理動作において、記憶部１８の関連情報テーブル１８ａ内に、ステップＳ５又はステップＳ８のいずれかで入力されたキーワードと一致するキーワードを検出した場合には（ステップＳ１２のＹＥＳ）、図示しないが、ステップＳ１１で抽出した機能名称及びガイダンスの組み合わせの全部を表示部６にメニュー形式で表示させる（ステップＳ１６）。
【００４１】
そして、制御部２０は、キーワードの入力が音声認識機能を利用してマイクロホン１２から行なわれていた場合には（ステップＳ１７のＹＥＳ）、ステップＳ１６で表示部に表示した機能名称及びガイダンスを読上げて、これをスピーカー１０から出力させる（ステップＳ１８）。
【００４２】
次に、ユーザーが操作部８の上下左右方向選択キー８ｄ及び決定キー８ｅにより、表示部６に表示中の機能名称のいずれかを選択及び指定する操作を行なうと（ステップＳ１９のＹＥＳ）、制御部２０は、この指定された機能名称に対応する機能の処理動作を開始すると共に（ステップＳ２０）、関連情報検索機能の処理動作を終了する。
【００４３】
また、ステップＳ１９において、表示部６に表示中の機能名称のいずれかについて選択及び指定する操作が行なわれずに（ステップＳ１９のＮＯ）、操作部８のフックオンキー８ｃを押下する操作が行なわれると（ステップＳ２１のＹＥＳ）、制御部２０は、直ちに関連情報検索機能の処理動作を終了する。
【００４４】
表示部６に表示中の機能名称のいずれかを選択及び指定する操作、並びにフックオンキー８ｃを押下する操作のいずれも行なわれない場合には（ステップＳ１９のＮＯ、及びステップＳ２１のＮＯ）、制御部２０は、ステップＳ１６からステップＳ１８までの処理動作を継続的に繰返し行なう。
【００４５】
このような本実施の携帯に係る携帯電話機２によれば、音声認識機能を搭載した場合でも、関連情報検索機能を利用する際の操作を容易化することができると共に、この関連情報検索機能のプログラムの大容量化を防止することができる。
【００４６】
すなわち、本実施の形態に係る携帯電話機２によれば、関連情報検索機能を利用しようとするときにおいて、この関連情報検索機能を起動する操作、並びに関連情報検索機能においてキーワードを操作部８から打ち込んで入力する方法と、音声認識機能を利用してマイクロホン１２から音声入力する方法のいずれを選択するかについての操作が、ヘルプキー１４により一体的に行なうことができるようになるため、関連情報検索機能を利用する際の操作を容易化することができる。
【００４７】
また、従来の関連情報検索機能においてキーワードを操作部８から打ち込んで入力する方法と、音声認識機能を利用してマイクロホン１２から入力する方法とは互いの処理動作が異なるため、関連情報検索機能のプログラムが大容量化していたが、本実施の形態に係る携帯電話機２では、互いに共通化することができるような処理動作は、図４のフローチャートに示すように、ステップＳ１，Ｓ２，Ｓ１１，Ｓ１２，Ｓ１６ないしＳ２１のような同一の処理動作として共通化したため、この関連情報検索機能のプログラムの大容量化を防止することができる。
【００４８】
なお、本実施の形態では、単一のヘルプキー１４を設けていたが、ヘルプキー１４は複数設けてもよい。例えば２つのヘルプキー１４を設けるようにした場合には、関連情報検索機能を起動する際に、キーワードを主操作部から打ち込んで入力する方法と、音声認識機能を利用して入力する方法のいずれを選択するかによって、この２つのヘルプキー１４のいずれか一方を押下するようになっていてもよい。
【００４９】
また、本実施の形態では、表示部６は、文字及び画像を表示するようになっていたが、文字だけを表示するようになっていてもよい。
【００５０】
また、本実施の形態では、図４のフローチャートに示すように、ステップＳ２のヘルプキー１４の押下の操作が、この押下された状態を一定時間未満の間だけしか維持しないように行なわれた場合には（ステップＳ３のＮＯ）、制御部２０はステップＳ４及びステップＳ５の処理動作を行ない、また、ステップＳ２のヘルプキー１４の押下の操作が、この押下された状態を一定時間以上の間維持するように行なわれた場合には（ステップＳ３のＹＥＳ）、制御部２０はステップＳ６ないしステップＳ１０の処理動作を行なうようになっていたが、ステップＳ２のヘルプキー１４の押下の操作が、この押下された状態を一定時間未満の間だけしか維持しないように行なわれた場合に、制御部２０がステップＳ６ないしステップＳ１０の処理動作を行ない、ステップＳ２のヘルプキー１４の押下の操作が、この押下された状態を一定時間以上の間維持するように行なわれた場合に、制御部２０がステップＳ４及びステップＳ５の処理動作を行なうようになっていてもよい。
【００５１】
また、本実施の形態では、図４のフローチャートに示すように、キーワードの入力を音声認識機能を利用してマイクロホン１２から行なった場合には、ステップＳ１７及びステップＳ１８の処理動作により機能名称及びガイダンスを読上げるようになっていたが、このステップＳ１７及びステップＳ１８は省略されてもよい。
【００５２】
また、本実施の形態では、図４のフローチャートに示すように、ステップＳ１１において記憶部１８の関連情報テーブル１８ａ内に、ステップＳ５又はステップＳ８のいずれかで入力されたキーワードと一致するキーワードを検出しなかった場合には（ステップＳ１２のＮＯ）、制御部２０は、ステップＳ１３及びステップＳ１４、又はステップＳ１３及びステップＳ１５を経て、処理動作の手順をステップＳ５の直前、又はステップＳ７の直前に戻すようになっていたが、ステップＳ１３ないしステップＳ１５の処理動作を省略すると共に、ステップＳ２の直前に戻るようになっていてもよい。
【００５３】
また、本実施の形態では、本発明を関連情報検索装置としての携帯電話機２に対して適用した場合について説明したが、本発明は、携帯電話機２以外の他の関連情報検索装置、例えばＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、パーソナルコンピュータ、及びナビゲーションシステム等の電子機器に対しても適用することができることはいうまでもない。
【図面の簡単な説明】
【００５４】
【図１】本発明の一実施の形態に係る携帯電話機２を示す平面図である。
【図２】本発明の一実施の形態に係る携帯電話機２の回路構成を示すブロック図である。
【図３】図２に示す関連情報テーブル１８ａ内の情報を詳細に示す図である。
【図４】本発明の一実施の形態に係る制御部２０の動作手順を示すフローチャートである。
【符号の説明】
【００５５】
２  携帯電話機
４  筐体
６  表示部
８  操作部
１０  スピーカー
１２  マイクロホン
１４  ヘルプキー
１６  通信部
１８  記憶部
１８ａ  関連情報テーブル
１８ｂ  検索エンジンモジュール
１８ｃ  音声認識モジュール
１８ｄ  音声読上げモジュール
２０  制御部
【図１】
2006331302.tif 000003
【図２】
2006331302.tif 000004
【図３】
2006331302.tif 000005
【図４】
2006331302.tif 000006